(57)【特許請求の範囲】
【請求項１】
通信キャリアに係る識別情報を記憶した記憶媒体から前記識別情報を読み出すインターフェイス部と、
前記インターフェイス部により読み出された識別情報に基づいて通信キャリアを決定し、前記決定した通信キャリアを使用して通信を行う通信手段と、
前記インターフェイス部により読み出された識別情報を用いて認証を行う認証手段と、
前記認証手段による認証が成功したことに応じて前記通信手段による通信動作を可能とする制御手段と、
前記認証を行うための認証用画面を表示装置に表示する表示制御手段とを備え、
前記表示制御手段は、前記インターフェイス部により読み出された識別情報に基づいて表示言語を決定し、前記決定した言語に従い前記認証用画面の表示言語を変更することを特徴とする通信装置。
【請求項２】
前記識別情報は、前記認証のための認証コードと国情報とを含み、前記認証手段は前記認証コードを用いて前記認証を行い、前記表示制御手段は前記国情報に基づいて前記表示言語を決定することを特徴とする請求項１記載の通信装置。
【請求項３】
前記表示装置に表示された前記認証用画面を用いて任意のコードを入力する操作部を備え、
前記認証手段は前記操作部により入力されたコードと前記認証コードとを比較することにより認証を行うことを特徴とする請求項２記載の通信装置。
【請求項４】
前記表示制御手段は、前記国情報に対応した国の第一公用語を前記表示言語に設定することを特徴とする請求項２記載の通信装置。
【請求項５】
それぞれ前記記憶媒体を装着するための複数のスロットを備え、
前記認証手段は前記複数の記憶媒体それぞれから読み出した識別情報を用いて前記認証を行い、前記表示制御手段は前記複数の記憶媒体から読み出した識別情報に基づいて前記複数の記憶媒体のための前記認証用画面の表示言語を決定することを特徴とする請求項１記載の通信装置。
【請求項６】
前記表示言語を任意の表示言語に設定する設定手段を備え、
前記制御手段は更に、前記認証手段による認証が成功するまでは前記設定手段による表示言語の変更を禁止することを特徴とする請求項１記載の通信装置。
【請求項７】
前記記憶媒体を装着するためのスロットと、前記装置に電源を投入するための操作部とを備え、
前記認証手段は前記操作部による電源投入の度に前記認証を行い、前記表示制御手段は、前記電源投入に応じて、前記認証手段による認証が成功したのち、前記記憶媒体が入れ替えられたか否かを判別し、前記記憶媒体が入れ替えられていない場合には前記設定手段により設定された表示言語により前記認証用画面を表示し、前記記憶媒体が入れ替えられていた場合には前記読み出された識別情報に基づいて決定した表示言語により前記認証用画面を表示することを特徴とする請求項６記載の通信装置。
【請求項８】
前記認証手段による認証を実行するか否かを設定する設定手段を備え、
前記インターフェイス部は、前記設定手段による設定結果に応じて、前記認証を実行するか否かを示す認証処理の実行情報を前記記憶媒体に書き込むことを特徴とする請求項１記載の通信装置。
【請求項９】
前記インターフェイス部は前記認証処理の実行情報を前記記憶媒体から読みだし、前記制御手段は、前記読み出された認証処理の実行情報により前記認証の実行が設定されていた場合には前記認証手段による認証が成功したことに応じて前記通信手段による通信動作を可能とし、前記認証の実行が設定されていない場合には前記認証手段による認証の結果にかかわらず前記通信手段による通信動作を可能とすることを特徴とする請求項８載の通信装置。
【請求項１０】
複数の国の言語のフォントを記憶するメモリを備え、
前記表示制御手段は前記メモリに記憶されたフォントのうち、前記決定した表示言語のフォントを用いて前記認証用画面を表示することを特徴とする請求項１記載の通信装置。
【請求項１１】
前記表示制御手段は、前記識別情報に基づいて決定した国の言語のフォントが前記メモリに記憶されていない場合、前記記憶媒体からフォントの情報を読み出すよう前記インターフェイス部を制御し、前記読み出したフォントを用いて前記認証用画面を表示することを特徴とする請求項１０記載の通信装置。
【請求項１２】
前記記憶媒体はＳＩＭカードであることを特徴とする請求項１から１１の何れか１項記載の通信装置。
【請求項１３】
前記表示制御手段は更に、前記決定した表示言語に従い前記認証用画面以外の画面を表示することを特徴とする請求項１から１２の何れか１項記載の通信装置。
【発明の詳細な説明】
【技術分野】
【０００１】
本発明は通信装置に関し、特に、通信キャリアに係る識別情報を記憶した記憶媒体を利用して通信を行う装置に関する。
【背景技術】
【０００２】
従来、携帯型の通信端末として、携帯電話機が知られている。携帯電話の普及率は年々高くなり、中には、複数台の携帯電話を所有するユーザもいる。
【０００３】
また、日常使用している携帯電話を海外においても使用したいという要求もあり、世界的に広く普及しているＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）携帯電話の需要も高まっている。
【０００４】
ＧＳＭ携帯電話機では、ＳＩＭ（Ｓｕｂｓｃｒｉｂｅｒ  Ｉｄｅｎｔｉｆｉｃａｔｉｏｎ  Ｍｏｄｕｌｅ）カードと呼ばれるＩＣ（Ｉｎｔｅｇｒａｔｅｄ  Ｃｉｒｃｕｉｔ）カードを使って通信やその他の機能を実現している。
【０００５】
ＳＩＭカードには、回線契約ごとに電話（加入者）番号やキャリア（契約した会社及びその通信方式）などの加入者識別情報が格納されている。そして、このＳＩＭカードを電話機に装着し、識別情報をＳＩＭカードから読み出すことで発信及び着信の通話が可能となる。また、電話機に装着するＳＩＭカードを入れ替えることで、一つの契約回線を使って複数の電話機を使い分けることが可能となる。
【０００６】
また、ユーザが一人で複数の通信回線を契約した場合、契約毎の識別情報を記憶したＳＩＭカードが提供される。そのため、電話機に装着するＳＩＭカードを入れ替えることで、一台の電話機で複数の回線を使い分けることが可能となる。
【０００７】
ＳＩＭカードは通常、簡単に取り外しできないような構成になっており、携帯電話機によっては、ＳＩＭカードが挿入されていないと、発着信はもとより電話帳の閲覧やカメラ撮影など一切の機能が使用できないものも存在する。
【０００８】
ＳＩＭカードには、電話帳や契約者の個人情報に加え、静止画などのコンテンツを保存できるものもある。
【０００９】
そのため、携帯電話機では、一般に、ＳＩＭカードを挿入するとＰＩＮ（Ｐｅｒｓｏｎａｌ  Ｉｄｅｎｔｉｆｙ  Ｎｕｍｂｅｒ）コードと呼ばれる個人識別番号を入力させる。そして、正規のユーザが使用しているかどうかを判断している（例えば、特許文献１参照）。
【００１０】
使用者であるユーザはＳＩＭカードを持っていれば、自由に携帯電話機を選択することができるため、国内のメーカだけでなく海外メーカの携帯電話機を使用することが可能である。各メーカは携帯電話機の高機能化を充実させ、メールやインターネットアクセス、アプリケーションのダウンロードによるゲームや、音楽配信、映像配信、テレビ信号受信などをユーザに提供している。
【特許文献１】特開２００２−７７３７２号
【発明の開示】
【発明が解決しようとする課題】
【００１１】
前述の様に、ＳＩＭカードを利用した携帯電話機を利用するためには、ユーザは、ＳＩＭカードを装着し、その後、ＰＩＮコードを入力する必要がある。
【００１２】
例えば、携帯電話機にＳＩＭカードが挿入されていない場合、ＳＩＭカードの挿入を促すメッセージもしくは映像を電話機の表示画面に表示することで、ユーザに発着信ができる環境を整えることができる。
【００１３】
ここでＳＩＭカードを挿入することで、ＰＩＮコードを入力する為の画面を表示し、ＰＩＮコード入力を促すメッセージを表示することで、ユーザ認証を行う手順へ移行できる。
【００１４】
しかしながら、ＳＩＭカードを使うことで、ユーザは国内外の様々な携帯電話機を使用できる。そのため、中には、ユーザの読めるもしくは理解できる言語以外の言語でメッセージを表示する端末を使うことも考えられる。
【００１５】
この様に、ユーザが読めない言語でＰＩＮコードの入力を要求するメッセージが表示された場合、ユーザはこの要求を理解できない。
【００１６】
前述のように、ＳＩＭカードは電話機から取り出して別の電話機に装着できるようになってはいるものの、頻繁に取り外し、装着を行うことは希であり、ＳＩＭカード装着後ＰＩＮコード入力が必要であることを忘れているユーザも多い。
【００１７】
そのため、ＰＩＮコードの入力が必要であることを理解できない、或いは、理解して携帯電話機を利用できるまでに非常に時間と手間がかかってしまうという問題があった。
【００１８】
本発明はこの様な問題を解決し、装置を利用するために必要な情報を表示するための言語を適切に設定し、ユーザが簡単に装置を利用できるようにすることを目的とする。
【課題を解決するための手段】
【００１９】
通信装置は、通信キャリアに係る識別情報を記憶した記憶媒体から前記識別情報を読み出すインターフェイス部と、前記インターフェイス部により読み出された識別情報に基づいて通信キャリアを決定し、前記決定した通信キャリアを使用して通信を行う通信手段と、前記インターフェイス部により読み出された識別情報を用いて認証を行う認証手段と、前記認証手段による認証が成功したことに応じて前記通信手段による通信動作を可能とする制御手段と、前記認証を行うための認証用画面を表示装置に表示する表示制御手段とを備え、前記表示制御手段は、前記インターフェイス部により読み出された識別情報に基づいて表示言語を決定し、前記決定した言語に従い前記認証用画面の表示言語を変更する。
【発明の効果】
【００２０】
装置を利用するために必要な情報を表示するための言語を適切に設定し、ユーザが簡単に装置を利用できるようになる。
【発明を実施するための最良の形態】
【００２１】
以下、添付図面に従って本発明に係る実施形態を詳細に説明する。
【００２２】
図１は、本発明の実施形態としての携帯電話機の外観構成を示す図である。
【００２３】
図１の携帯電話機１００（以下電話機）は、複数の通信方式による通信が可能である。本実施形態では、Ｗ−ＣＤＭＡ方式とＣＤＭＡ２０００方式による通信が可能である。もちろん、これ以外の通信方式でもよく、また、三つ以上の通信方式による通話を可能とすることもできる。
【００２４】
また、電話機１００は、音声通信機能のほかに、テレビ電話通信などのマルチメディア機能、電子メール送受信機能、ＷＥＢ閲覧機能を持つ。更に、携帯電話機１００は、電話帳機能、電子手帳機能、ゲームなどのアプリケーションをダウンロードして使用する機能、ナビゲーション機能、音楽再生機能を有する。
【００２５】
携帯電話機１００の筐体１内には、アンテナ及び、着信時に振動させるバイブレータが内蔵されているものとする。また、筐体１の正面には、液晶表示部（ＬＣＤ２が設けられ、ＬＣＤ２の上部にはスピーカ５が配置されている。通話の際に音声を入力するためのマイクロフォン４を筐体１の最下部に配置し、通話機能に加え、各種の機能に関する操作入力のためのキー操作部３を筐体の下部に備えている。筐体１の側面には不図示のメモリカードを装着可能なメモリカードスロット６を備えている。メモリカードには、電話機１００にて利用する各種機能を実行するためのデータなどを記憶することができる。
【００２６】
図２は携帯電話機１００を背面からとらえた構成図である。
【００２７】
電話機１００の背面には、電池パック７を収納する収納部１３がある。収納部１３は電池蓋８によって覆われており、簡単に開くことのできないような構成になっている。電池蓋８を開き、電池パック７を外すと、ＳＩＭカードを装着するための二つのＳＩＭスロット９、１０が設けられている。
【００２８】
各ＳＩＭスロット（Ａ）９、ＳＩＭスロット（Ｂ）１０には、それぞれＳＩＭカード（Ａ）１１、ＳＩＭカード（Ｂ）１２を装着することが可能である。ＳＩＭカード１１、１２はそれぞれ、自由に取り外しすることが可能となっている。
【００２９】
なお、本実施形態においては、二つのＳＩＭスロットを設けた場合を説明したが、三つ以上のＳＩＭスロットを持つことも可能である。各ＳＩＭスロットの位置は、図１に示したストレート型筐体における背面の電池パックの取り付け部についていてもよい。或いは、折り畳み式筐体でスペースが確保できる場合は側面についていてもよい。
【００３０】
また、電池を取り外すことなくＳＩＭカードを交換できるよう、ＳＩＭカードのスロットを設けておくことも可能である。
【００３１】
図３は、図１の電話機１００の内部構成を示すブロック図である。なお、図３のブロック図は、主に通話機能、電子メールの送受信機能に必要なブロックのみを記載している。前述の様に、電話機１００は通話機能やメール送受信機能の他、各種の機能を持つが、これらの機能に関連したブロック、並びにその詳細な説明については、公知の構成を用いており、詳細な説明は省略する。
【００３２】
図３において、電話機１００の各種の動作はＣＰＵ１１４により制御される。ＣＰＵ１１４はＣＰＵバス１２１を介して各部を制御する。ＣＰＵバス１２１には、データやプログラムを格納するためのＲＡＭ１１５、ＲＯＭ１１６、電源が切れた場合にもデータを保持することが可能な不揮発性メモリであるＥＥＰＲＯＭ１１７が接続される。
【００３３】
ＣＰＵ１１４は、入出力制御部１１８を介してキー操作部３からキー入力を受付け、また、キー操作部３のボタンを光らせる制御を行う。また、ＣＰＵ１１４は、表示制御部１１９を制御することにより、表示部２に対して様々な画像や情報を表示する。
【００３４】
また、ＣＰＵ１１４は、外部メモリインターフェイス部（Ｉ／Ｆ）１２０を介して、ＳＩＭスロット（Ａ）９、ＳＩＭスロット（Ｂ）１０に装着されたＳＩＭカードの情報を読み取る。更に、メモリカードスロット６を介して装着されたメモリカードＭに対し、データの書き込み、読み出しを実行する。
【００３５】
また、電話機１００は、Ｗ−ＣＤＭＡ方式（第１の通信方式）用の通信部１２２と、ＣＤＭＡ２０００方式（第２の通信方式）用の通信部１２３を備えている。そして、後述の様に、装着されたＳＩＭカード１１又は１２から読み出した加入者情報に従い、通信部１２３を選択し、通信を行う。
【００３６】
まず、電話機１００における電話、及び電子メールの基本的な着信、送信処理について説明する。
ここでは、例として、第１の通信部１２２による着信時の処理について説明する。
【００３７】
不図示の基地局から伝送されてくる無線信号をアンテナ１０１により受信し、受信された信号がアンテナ共用機１０２を介して受信部１０３に入力される。受信部１０３は、高周波増幅器、周波数変換器及び復調器を備える。そして、受信部１０３は、受信した信号を低雑音増幅器で低雑音増幅した後、周波数シンセサイザ１０５より発生された受信局部発信信号と混合し、受信中間周波数信号又は受信ベースバンド信号に周波数変換する。そして、周波数変換した信号を復調器で復調する。
【００３８】
復調された信号は、ベースバンド処理部１０６に送られ、音声信号と電子メールのデータに分離される。音声データは、コーデック１０７により、通信方式に従って復号され、スピーカ５に出力される。
【００３９】
一方、電子メールのデータであればＲＡＭ１１５に送られ、保存される。ユーザが、キー操作部３を操作することにより、ＲＡＭ１１５に保存された電子メールデータを任意に読み出して表示部２に表示することができる。
【００４０】
この様に、音声電話を着信すると、スピーカ５から相手の音声が出力される。
【００４１】
一方、通話中の音声を送信する場合、マイク４から出力されたユーザの音声信号はコーデック１０７により通信方式に応じて符号化される。符号化された音声データは、ベースバンド処理部１０６により必要な処理が施され、送信部１０４に出力される。送信部１０４は、変調器、周波数変換器、送信電力増幅器を備える。そして、送信部１０４は、音声データを通信方式に従って変調した後、周波数シンセサイザ１０５から発生された送信局部発信信号と混合して無線周波数信号に周波数変換する。そして、変換した信号を増幅した後、アンテナ共用器１０２及びアンテナ１０１を介して、不図示の基地局に向けて送信される。
ユーザは、キー操作部３を操作することで、通話を終了することができる。
【００４２】
次に、発信時の処理を説明する。
ユーザは、キー操作部３を操作することにより、相手の電話番号を入力し、発信を指示する。ＣＰＵ１１４は、発信の指示があると、ベースバンド処理部１０６に対し、発信用のデータを送る。ベースバンド処理部１０６は、発信用のデータを送信部１０４に送り、前述のように変調、周波数変換、及び増幅処理を施し、アンテナ共用器１０２、アンテナ１０１により不図示の基地局に向けて送信する。
【００４３】
基地局が通信相手からの着信を確認し、無線信号を送ると、アンテナ１０１がこれを受信し、以下、前述の着信時と同様の処理を実行する。
【００４４】
また、電子メールを送信する場合、ユーザは、キー操作部３を用いて、メール作成を指示する。メール作成が指示されると、ＣＰＵ１１４は、表示制御部１１９を制御して、メール作成用の画面を表示部２に表示する。ユーザはキー操作部３を用いて送信先アドレスや本文を入力し、送信を指示する。ＣＰＵ１１４は、メール送信が指示されると、ベースバンド処理部１０６に対し、アドレスの情報を送り、コーデック１０７に対して本文のデータを送る。コーデック１０７は本文のデータを符号化し、ベースバンド処理部１０６に送る。
【００４５】
ベースバンド処理部１０６は、アドレス、及び本文のデータを送信部１０４に送り、送信部１０４により変調等の処理を施して、アンテナ共用器１０２、アンテナ１０１を介して基地局に送信する。
【００４６】
本実施形態では、ＳＩＭスロット（Ａ）９、ＳＩＭスロット（Ｂ）１０に装着されたＳＩＭカードから加入者識別情報を読み取り、この加入者情報に基づいて通信処理を行う。
【００４７】
次に、ＳＩＭカードについて説明する。
図４はＳＩＭカード１１、１２の内部構成を示す図である。
【００４８】
ＳＩＭカードは、内部にＣＰＵ４０１、ＥＥＰＲＯＭ４０２、ＲＯＭ４０３、ＲＡＭ４０４を持ち、各ブロックがＣＰＵバス４０６によって接続されている。ＲＯＭ４０３内に格納されたＯＳ（Ｏｐｅｒａｔｉｎｇ  Ｓｙｓｔｅｍ）を起動することにより、各種機能を実行することが可能である。ＳＩＭカード単体では動作できない。そのため、ＳＩＭカードが電話機１００に挿入され、接続端子４０５から電力が供給されるとＣＰＵ４０１が起動しＲＡＭ４０４へデータが展開され、端子４０５を通して各種情報の入出力が行われる。
【００４９】
ＳＩＭカードには、カード毎に固有の情報が割り当てされており、その情報を元にキャリアとの通信を行ったり、電話帳を更新したりすることが可能である。この固有情報はＥＥＰＲＯＭ４０２やＲＯＭ４０３に格納されており、ＣＰＵ４０１からの呼び出しに応じて読み出される。
【００５０】
次に、ＳＩＭカードに記憶されている情報について説明する。
図５は、図４に示したＳＩＭカードにおけるＥＥＰＲＯＭ４０２、或いは、ＲＯＭ４０３に記憶された情報を示す図である。
【００５１】
各ＳＩＭカードには、ＩＣカードＩＤ５０１、国際移動体端末番号５０２、認証用キー値５０６、ＰＩＮコード５０７、電話帳情報５１０、メールデータ５１２、リザーブ５１３が記憶される。
【００５２】
ＩＣカードＩＤ５０１は、カードをユニークに識別するための情報である。国際移動体端末番号５０２は、契約したキャリアによって提供される加入者を特定するための情報である。国際移動体端末番号５０２は、移動体通信用国番号５０３、移動体通信網識別番号５０４及び移動体端末識別番号５０５から構成されている。移動体通信用国番号５０３により契約したキャリアの国が判別でき、移動体通信網識別番号５０４により契約したキャリアを識別できる。移動体端末識別番号５０５が電話番号として加入者に提供される。
【００５３】
認証用キー値５０６は、キャリアの提供する電話網へアクセスするために電話機との認証を行うための情報である。ＰＩＮ（Ｐｅｒｓｏｎａｌ  Ｉｄｅｎｔｉｆｙ  Ｎｕｍｂｅｒ）コード５０７は、第三者に無断使用されることを防ぐため、ＳＩＭカードが電話機に装着された際に利用者を特定するための認証コードである。ＰＩＮコードは二種類保存することができる。また、ＰＩＮコード５０７は、ＰＩＮコード１、ＰＩＮコード２による認証を行うか否かを示す、それぞれ１ビットのＰＩＮ認証実行データ５０７ａ、５０７ｂを含む。
【００５４】
電話帳５１０には、ＰＩＮコード５０７を入力することにより発信可能となる発信先固定電話帳５１１が含まれる。また、本実施形態では、リザーブ領域５１３には、このＳＩＭカードの国情報に対応するフォントの情報が格納されている。
【００５５】
次に、ＰＩＮコードの設定、並びに、ＰＩＮコード認証の実行設定について説明する。
ユーザはキー操作部３を操作することにより、各ＳＩＭカード１１、１２に対して任意のＰＩＮコードを設定することができる。
【００５６】
即ち、ユーザによりＰＩＮコード設定が指示されると、ＣＰＵ１１４は表示制御部１１９により表示部２に対してＰＩＮコード設定用画面を表示する。ユーザは、ＳＩＭカード１１と１２に対し、それぞれ独立にＰＩＮコードを設定することができる。
【００５７】
そこで、ユーザは、ＰＩＮコード設定用画面を見ながらキー操作部３を操作して、ＳＩＭカード１１、１２の何れかを選択し、選択したＳＩＭカードに対するＰＩＮコードを入力する。
【００５８】
ＰＩＮコードが入力されると、ＣＰＵ１１４は、外部メモリＩ／Ｆ１２０に対し、選択されたＳＩＭカードのＰＩＮコード５０８、５０９をユーザにより入力されたＰＩＮコードに変更して保存する。
【００５９】
また、ユーザは、キー操作部３を操作することで、この様に設定したＰＩＮコードによる認証を行うか否かを設定することができる。
【００６０】
ユーザによりＰＩＮコード認証の設定が指示されると、ＣＰＵ１１４は表示制御部１１９により表示部２に対してＰＩＮコード認証の実行設定用画面を表示する。ユーザは、ＳＩＭカード１１と１２に対し、それぞれ独立に、ＰＩＮコードよる認証を行うか否かを設定することができる。
【００６１】
そこで、ユーザは、ＰＩＮコード設定用画面を見ながらキー操作部３を操作して、ＳＩＭカード１１、１２の何れかを選択し、選択したＳＩＭカードについて、ＰＩＮコードによる認証を実行するか否かを入力する。
【００６２】
ＰＩＮコード認証を実行するか否かが設定されると、ＣＰＵ１１４は、選択されたＳＩＭカードに対して、ＰＩＮコード認証を実行するか否かを示すＰＩＮ認証実行情報５０７ａ、５０７ｂをユーザの設定結果に応じて変更して保存する。
【００６３】
この様に、ＰＩＮコードによる使用者の認証処理の実行が設定されていた場合、電話機１００に対して電源が投入される度に、後述の如くＰＩＮコードによる認証処理が実行される。そして、認証が成功しない限り、当該ＳＩＭカードが装着されている間は、携帯電話１００の全ての機能が停止され、ユーザは携帯電話１００を使用することができない。
【００６４】
この様に、ＰＩＮコード認証処理の実行を設定しておくことにより、自分のＳＩＭカードを落とした場合などにおいても、自分のＳＩＭカードが他人の携帯電話に装着されて使用されることを防ぐことができる。
【００６５】
次に、電源投入時における、ＳＩＭカードの検出処理と、通信部１２２、１２３の制御について、図８のフローチャートを用いて説明する。
【００６６】
なお、本実施形態の電話機１００では、電源オンの間はＳＩＭスロットからＳＩＭカードを取り出すことができない。そのため、ユーザがＳＩＭカードを装着、排出する場合には、電話機１００の電源をオフする。
【００６７】
そして、電源がオンになると図８のフローチャートがスタートする。なお、図８の処理は、ＣＰＵ１１４が各部を制御することにより実行される。
【００６８】
まず、いずれかのＳＩＭスロットにＳＩＭカードが装着されているか否かを判別する（Ｓ８０１）。何れかのＳＩＭスロットにＳＩＭカードが装着されていた場合、ＳＩＭカードが入れ替えられたか否かを判別する（Ｓ８０２）。本実施形態では、ＳＩＭカードと電話機１００が電気的に接続されているので、この接続が切断したか否かによって、ＳＩＭカードが入れ替えられたか否かを判別する。また、ここでは、二つのＳＩＭスロットのうちの、少なくとも一方のＳＩＭスロットに装着されたカードが入れ替えられた場合、ＳＩＭカードが入れ替えられたと判断する。
ＳＩＭカードが入れ替えられていなかった場合、Ｓ８０４に進む。
【００６９】
また、ＳＩＭカードが入れ替えられていた場合、ユーザによる電話機のＰＩＮコード認証用の表示言語設定を無効とする（Ｓ８０３）。
【００７０】
本実施形態では、ＰＩＮコードの認証が終了した後、ユーザは電話機１００のメニュー画面を利用して、表示言語をＳＩＭカードに基づいて設定した言語以外の言語に変更することも可能である。例えば、日本で購入したＳＩＭカードに対して認証後、電話帳の言語が日本語以外である場合や、気に入ったフォントを使いたい場合に、ユーザが表示言語の設定を変更することが可能である。本実施形態では、ＰＩＮコードの認証が成功するまでは、ユーザによる表示言語の変更を禁止している。そして、ユーザが表示言語を変更した場合、ユーザによる表示言語の設定を有効にして、変更後の言語の情報をＥＥＰＲＯＭ１１７に保存する。
【００７１】
次に、二つのＳＩＭスロット９、１０の両方にＳＩＭカードが装着されているか否かを判別する（Ｓ８０４）。
【００７２】
両方のＳＩＭスロット９、１０にＳＩＭカードが装着されていた場合、各ＳＩＭスロットに装着されたＳＩＭカードの情報を読み出す（Ｓ８０５）。そして、図５のＰＩＮコード認証実行データ５０７ａに基づいて、各ＳＩＭカードに対してＰＩＮコード認証の実行が設定されているか否かを判別する（Ｓ８０６）。
【００７３】
少なくとも一方のＳＩＭカードに対してＰＩＮコード認証の実行が設定されていた場合、ＰＩＮコード認証が設定されているＳＩＭカードを検出し（Ｓ８０７）、ＰＩＮコード認証処理を実行する（Ｓ８０８）。このＰＩＮコード認証処理は後述する。
【００７４】
また、Ｓ８０４で、何れのＳＩＭカードに対してもＰＩＮコード認証の実行が設定されていなかった場合、通信部１２２、１２３のうち、装着されたＳＩＭカードのキャリアに対応した通信部を動作させる（Ｓ８１１）。
【００７５】
また、Ｓ８０４で、一方のＳＩＭスロットにのみＳＩＭカードが装着されていた場合、装着されたＳＩＭカードから情報を読み出す（Ｓ８０９）。そして、図５のＰＩＮコード認証実行データ５０７ａに基づいて、ＳＩＭカードに対してＰＩＮコード認証の実行が設定されているか否かを判別する（Ｓ８１０）。
【００７６】
装着されたＳＩＭカードに対してＰＩＮコード認証の実行が設定されていた場合、ＰＩＮコード認証処理を実行する（Ｓ８１２）。また、ＰＩＮコード認証の実行が設定されていなかった場合、通信部１２２、１２３のうち、装着されたＳＩＭカードのキャリアに対応した通信部を動作させる（Ｓ８１１）。
【００７７】
また、Ｓ８０１で、何れのＳＩＭスロットにもＳＩＭカードが装着されていなかった場合、電話機１００のデフォルト言語を表示言語として設定する（Ｓ８１３）。なお、本実施形態では、電話機１００の初期設定（デフォルト）言語の情報は、ＥＥＰＲＯＭ１１７に記憶されている。そして、デフォルト言語を用いて、ＳＩＭカードが挿入されていないことを使用者に知らせるために、ＳＩＭカードを挿入しなければ電話機１００を使用できない旨を示すメッセージを表示部２に表示する（Ｓ８１４）。
【００７８】
次に、Ｓ８０８、Ｓ８１２のＰＩＮコード認証処理について、図６のフローチャートを用いて説明する。なお、図６の処理も、ＣＰＵ１１４が各部を制御することにより実行される。
【００７９】
まず、二つのＳＩＭスロット９、１０の両方にＳＩＭカードが装着されているか否かを判別する（Ｓ６０１）。
【００８０】
両方のＳＩＭスロットにＳＩＭカードが装着されていた場合、二つのＳＩＭスロットの間に優先度が設定されているか否かを判別する（Ｓ６０２）。ユーザは、予めキー操作部３を操作することにより二つのＳＩＭスロット間の優先度を設定することができる。これにより、ユーザは、二つのＳＩＭスロットにＳＩＭカードが挿入されている場合に、どちらのスロットからＳＩＭカードの確認を行うかを設定する。
【００８１】
優先度が設定されていた場合、ＳＩＭスロット９、１０のうち、優先設定されたスロットを読み出し対象スロットに設定する（Ｓ６０３）。一方、優先度が設定されていない場合、ＳＩＭスロット（Ａ）９を読み出し対象スロットに設定する（Ｓ６０４）。
【００８２】
次に、ユーザによる表示言語の設定が有効になっているか否かを判別する（Ｓ６０５）。表示言語設定が有効になっていなかった場合、読み出し対象スロットに装着されたＳＩＭカードから図５の如き加入者情報を読み出して、ＲＡＭ１１５に記憶する（Ｓ６０６）。
【００８３】
次に、ＳＩＭカードから読み出した加入者情報情報のうち、移動体通信用国番号５０３による言語と電話機１００に初期設定されている使用言語とを比較する。なお、電話機１００の初期設定（デフォルト）言語の情報は、ＥＥＰＲＯＭ１１７に記憶されている。本実施形態では、移動体通信用国番号５０３により指定される国で使用されている第一公用語と、電話機１００のデフォルト言語が一致しているか否かを判別する（Ｓ６０７）。
【００８４】
ここで、ＳＩＭカードに基づいて決定した国の言語が電話機１００のデフォルト言語と一致した場合、表示言語を変更する必要がないので、デフォルト言語をそのまま表示言語として決定する（Ｓ６０８）。
【００８５】
一方、Ｓ６０７で一致しなかった場合には、ＳＩＭカードに基づいて決定した国の言語のフォントがＥＥＰＲＯＭ１１７に格納されているか否かを判別する（Ｓ６０９）。本実施形態では、複数の国の言語に対応したフォントをＥＥＰＲＯＭ１１７に格納している。そこで、ＳＩＭカードに基づいて決定した言語がＥＥＰＲＯＭ１１７に格納されていた場合には、ＳＩＭカードに基づいて決定した国の言語を表示言語として設定する（Ｓ６１０）。また、格納されていない場合には、ＳＩＭカードからＳＩＭカードに応じた国の言語のフォントを読み出し、ＲＡＭ１１５に保存する（Ｓ６１１）。そして、このＲＡＭ１１５に保存したフォントを表示言語に設定する。
【００８６】
なお、ここで読み出すフォントは、後述の様に、ＰＩＮコードの入力用画面で用いる文字のフォント及び、簡単なアルファベットのフォントである。
【００８７】
次に、設定された表示言語を用いてＰＩＮコード認証用画面を生成し、表示部２に表示する（Ｓ６１２）。図７は、ＰＩＮコードの入力画面を示す図である。
【００８８】
７０１は表示部２の表示画面であり、入力を促すメッセージ７０２を表示する。ユーザは、キー操作部３を用い、入力欄７０３に対してＰＩＮコードを入力する。７０４は決定用カーソルである。ここで、メッセージ７０２及び、決定用カーソル７０４、その他の表示言語は、Ｓ６０８、Ｓ６１０あるいはＳ６１１にて設定した表示言語のフォントを使用する。
【００８９】
一方、Ｓ６０５で、ユーザが設定した表示言語設定が有効になっていた場合、ユーザが設定した表示言語により、ＰＩＮコード認証用画面を生成して、表示部２に表示する（Ｓ６２０）。
【００９０】
ＰＩＮコード入力用画面を表示した後、ユーザによりＰＩＮコードが入力されると、入力されたコードがＳＩＭカードから読み出したＰＩＮコードと一致するか否かを判別する（Ｓ６１３）。認証が成功するまでは、画面を消去することもできず、通話及び他の機能を利用することもできない。本実施形態では、ユーザがＰＩＮコードを入力し、決定用カーソルを操作する度に一致したか否かを判別する。そして、所定回数（例えば３回）、ユーザが入力したコードがＳＩＭカードから読み出したＰＩＮコードと不一致であった場合、ＰＩＮコードの認証に失敗したものと判断する。
【００９１】
ＰＩＮコードの認証が失敗すると、このＳＩＭカードを認証不正として取り扱うためのＳＩＭ認証ロックコードを設定し、使用者に対して認証失敗のメッセージとロック解除用のコードを入力することを通知する（Ｓ６２１）。ＰＩＮコードの認証に失敗したＳＩＭカードは、ロック解除用のコードを入力されるまでは使用不可能である。ロック解除用のコードはＳＩＭカードを契約したキャリアに問い合わせて入手する。
【００９２】
ＰＩＮコードが一致し、正しく認証されると、ＰＩＮコード認証処理を実行すべき全てのＳＩＭカードについてＰＩＮコードの認証が終了したか否かを判別する（Ｓ６１４）。
【００９３】
全てのＳＩＭカードについてＰＩＮコードの認証が終了していない場合には、認証していないスロットを読み出し対象スロットに設定し、Ｓ６０５に戻って処理を繰り返す（Ｓ６１５）。
【００９４】
また、全てのＳＩＭカードについてＰＩＮコードの認証処理が終了した場合、各ＳＩＭカードによる通信が可能か否かを判別する（Ｓ６１６）。ここでは、ＰＩＮコード認証処理が不要であったＳＩＭカードも含め、各ＳＩＭカードによる通信が可能か否かを判別する。ＰＩＮコード認証処理が失敗したＳＩＭカードによる通信はできない。
【００９５】
両方のＳＩＭカードによる通信が可能な場合、各スロットのカードから読み出した識別情報に基づいて、二つのＳＩＭカードが別のキャリア（通信方式）に従うカードであるか否かを判別する（Ｓ６１７）。
【００９６】
二つのカードが別のキャリアに対応するカードであった場合、通信部１２２と１２３を共に動作させる（Ｓ６１８）。そして、各カードの識別情報に基づいて使用する通信回線を決定する。また、二つのＳＩＭカードが同じキャリアに対応するカードであった場合、各カードの識別情報に基づいて、通信部１２２、１２３のうち対応する方を動作させる（Ｓ６１９）。
【００９７】
一方、Ｓ６１６で、両方のＳＩＭカードによる通信ができない場合、一方のＳＩＭカードによる通信のみが可能か否かを判別する（Ｓ６２２）。一方のＳＩＭカードによる通信のみが可能な場合、通信可能なＳＩＭカードの識別情報に基づいて、通信部１２２、１２３のうち対応するキャリアの通信回路を動作させる（Ｓ６２３）。
【００９８】
また、何れのＳＩＭカードについてもＰＩＮコードの認証に失敗してしまい、通信ができない場合、ＰＩＮコードの認証に失敗し、電話機１００を使用できない旨の警告情報を表示部２に表示して処理を終了する（Ｓ６２４）。
【００９９】
また、Ｓ６０１で、二つのＳＩＭスロット９、１０のうち、一方のみに対してＳＩＭカードが装着されていた場合、ユーザによる表示言語の設定が有効になっているか否かを判別する（Ｓ６２５）。表示言語設定が有効になっていなかった場合、装着されたＳＩＭカードから加入者情報を読み出して、ＲＡＭ１１５に記憶する（Ｓ６２６）。
【０１００】
次に、ＳＩＭカードから読み出した加入者情報情報のうち、移動体通信用国番号５０３による言語と電話機１００に初期設定されている使用言語とを比較する（Ｓ６２７）。
【０１０１】
ＳＩＭカードに基づいて決定した国の言語が電話機１００のデフォルト言語と一致した場合、表示言語を変更する必要がないので、デフォルト言語をそのまま表示言語として決定する（Ｓ６２８）。
【０１０２】
一方、Ｓ６２７で一致しなかった場合には、ＳＩＭカードに基づいて決定した国の言語のフォントがＥＥＰＲＯＭ１１７に格納されているか否かを判別する（Ｓ６３４）。格納されていた場合には、ＳＩＭカードに基づいて決定した国の言語を表示言語として設定する（Ｓ６３５）。また、格納されていない場合には、ＳＩＭカードからＳＩＭカードに応じた国の言語のフォントを読み出し、ＲＡＭ１１５に保存する（Ｓ６３６）。そして、このＲＡＭ１１５に保存したフォントを表示言語に設定する。
【０１０３】
次に、設定された表示言語を用いてＰＩＮコード認証用画面を生成し、表示部２に表示する（Ｓ６２９）。
【０１０４】
一方、Ｓ６２５で、ユーザが設定した表示言語設定が有効になっていた場合、ユーザが設定した表示言語により、ＰＩＮコード認証用画面を生成して、表示部２に表示する（Ｓ６３３）。
【０１０５】
ＰＩＮコード入力用画面を表示した後、ユーザによりＰＩＮコードが入力されると、入力されたコードがＳＩＭカードから読み出したＰＩＮコードと一致するか否かを判別する（Ｓ６３０）。
【０１０６】
ＰＩＮコードの認証が失敗すると、このＳＩＭカードを認証不正として取り扱うためのＳＩＭ認証ロックコードを設定し、使用者に対して認証失敗のメッセージとロック解除用のコードを入力することを通知する（Ｓ６３２）。
【０１０７】
ＰＩＮコードが一致し、正しく認証されると、ＳＩＭカードの識別情報に基づいて使用する通信キャリアを判別する。そして、通信部１２２、１２３のうち、使用するキャリアに応じた通信部を動作させ、通信部による通信動作を可能とする（Ｓ６３１）。
【０１０８】
この様にＰＩＮコードの認証処理が終了し、全てのＳＩＭカードについてＰＩＮコードが正しく認証された場合、最後に認証が成功したＳＩＭカードの言語を電話機１００の表示言語とする。これにより、認証用画面以外の画面についても、認証が成功したＳＩＭカードの言語で表示する。但し、ステップＳ６０２において優先度が設定されている場合、最後に認証したＳＩＭカードではなく、優先度の高いＳＩＭカードの言語を表示言語として使用する。
【０１０９】
この様に、ＰＩＮコードの認証後、ユーザにより表示言語が変更された場合、ＳＩＭカードの国情報に応じた言語と一致しないことが考えられる。
【０１１０】
本実施形態では、この様な場合であっても、ＳＩＭカードが入れ替えられるまでの間は、ユーザが設定した表示言語を有効としているため、ユーザが設定した言語でＰＩＮコード入力画面を表示する。
【０１１１】
以上説明したように、本実施形態によれば、ＳＩＭカードに記憶された国情報に基づいてＰＩＮコードの入力用画面の表示言語を設定している。そのため、携帯電話を契約した国の言語によってＰＩＮコードの入力用画面を表示することができるので、ユーザはＰＩＮコードの入力が必要であることを容易に認識することができる。
【０１１２】
また、フォント情報をＳＩＭカード内に持たせることにより、表示言語フォントを持たない携帯電話機においても所望の言語で情報を表示可能となる。そのため、携帯電話機に用意するフォントデータを削減することができる。
【０１１３】
なお、本実施形態では、ＳＩＭスロットに対して優先度を設定していた。
【０１１４】
これ以外にも、キャリアや課金情報、或いはサービスなどの契約情報を元に優先度を設定することも可能である。
【０１１５】
また、時間情報など、表示言語以外の情報や、各情報の表示場所などを各国に応じて変更することも可能である。
【０１１６】
また、本実施形態では、表示言語を設定する際に、ＳＩＭカードから読み出した国情報を使用していたが、これ以外にも、例えばキャリア情報や電話帳を利用して言語情報を特定することも可能である。
【０１１７】
また、図６のＳ６０７において、ＳＩＭカードの国情報に基づく言語がデフォルト言語と一致しているか否かを判別していた。しかし、デフォルト言語にかかわらず、ＳＩＭカードの国情報に基づく言語を表示言語として設定してもよい。
【０１１８】
また、携帯電話以外にも、ＳＩＭカードの様な固有の識別情報を用いて通信を行う装置で、ＰＩＮコードなどの認証用コードを用いた認証処理を行う装置に対しても同様に本発明を適用することができる。
【図面の簡単な説明】
【０１１９】
【図１】本発明の実施形態における携帯電話機の外観図である。
【図２】実施形態における携帯電話機の外観図である。
【図３】携帯電話機の構成を示すブロック図である。
【図４】ＳＩＭカードの構成を示す図である。
【図５】ＳＩＭカードに記憶されているデータの様子を示す図である。
【図６】実施形態におけるＰＩＮコードの認証動作を示すフローチャートである。
【図７】ＰＩＮコードの認証用画面を示す図である。
【図８】電源投入時のＰＩＮコード認証処理を示すフローチャートである。
【図１】
0005159417.tif 000002
【図２】
0005159417.tif 000003
【図３】
0005159417.tif 000004
【図４】
0005159417.tif 000005
【図５】
0005159417.tif 000006
【図６】
0005159417.tif 000007
【図７】
0005159417.tif 000008
【図８】
0005159417.tif 000009